(57)【要約】      （修正有）【課題】ローカルエリアネットワークを利用したロケーション決定のためのシステム及び方法を提供する。【解決手段】Ｗｉ−Ｆｉベースのロケーション決定方法は、Ｗｉ−Ｆｉホットスポットに関するロケーション情報及び／又は識別子情報をデータベースにおいて受信するステップを含むことができる。本方法は、Ｗｉ−Ｆｉホットスポットに関するロケーション情報及び／又は識別子情報をデータベースから測位受信機へ送信するステップを含むことができる。【選択図】図１
2018097002.tif 000002
【特許請求の範囲】
【請求項１】
Ｗｉ−Ｆｉホットスポットのロケーション変更を示すロケーション変更情報をデータベ
ースが受信するステップと、
前記ロケーション変更情報を前記データベースが測位受信機に送信するステップと
を含む、Ｗｉ−Ｆｉベースのロケーション決定方法。
【請求項２】
前記ロケーション変更情報を受信するステップは、非セルラ型ビーコンネットワークを
通じて前記データベースが前記ロケーション変更情報を受信するステップを含む、請求項
１に記載の方法。
【請求項３】
前記ロケーション変更情報を送信するステップは、前記データベースが前記非セルラ型
ビーコンネットワークを通じて前記測位受信機に前記ロケーション変更情報を送信するス
テップを含む、請求項２に記載の方法。
【請求項４】
前記ロケーション変更情報を受信するステップは、前記データベースが前記測位受信機
とは別個のリスニングデバイスから前記ロケーション変更情報を受信するステップを含む
、請求項１に記載の方法。
【請求項５】
前記ロケーション変更情報を送信するステップは、前記ロケーション変更情報による前
記データベースの更新後に、該ロケーション変更情報を該データベースが前記測位受信機
に送信するステップを含む、請求項１に記載の方法。
【請求項６】
前記測位受信機は第１の測位受信機を含み、
前記ロケーション変更情報を送信するステップは、該ロケーション変更情報を前記デー
タベースが前記第１の測位受信機と第２の測位受信機とに対して送信するステップを含む
ものである、請求項１に記載の方法。
【請求項７】
Ｗｉ−Ｆｉホットスポットのロケーションの変更を示すロケーション変更情報を測位受
信機が受信するステップと、
前記ロケーション変更情報と、非セルラ型ビーコンネットワークにより前記測位受信機
が受信した測位信号とのうちの一方を用いて、前記測位受信機の位置を計算するステップ
と
を含む、測位受信機を動作させる方法。
【請求項８】
前記測位受信機が、より高い信頼度を、前記ロケーション変更情報において有するか、
又は前記非セルラ型ビーコンネットワークにより該測位受信機が受信した前記測位信号に
おいて有するかを判断するステップを更に含む請求項７に記載の方法。
【請求項９】
前記測位受信機の位置を計算するステップは、前記ロケーション変更情報と、前記非セ
ルラ型ビーコンネットワークを用いて前記測位受信機が受信した前記測位信号とのうちの
、該測位受信機が高い信頼度を有する一方を用いて、該測位受信機の位置を計算するステ
ップを含むものである、請求項８に記載の方法。
【請求項１０】
前記ロケーション変更情報を受信するステップは、前記測位受信機が非セルラ型ビーコ
ンネットワークを通じて前記ロケーション変更情報を受信するステップを含むものである
、請求項７に記載の方法。
【請求項１１】
Ｗｉ−Ｆｉホットスポットに関するロケーション情報及び識別子情報のいずれか又は両
方を、非セルラ型ビーコンネットワークを通じてデータベースが受信するステップと、
前記Ｗｉ−Ｆｉホットスポットに関するロケーション情報及び識別子情報のいずれか又
は両方を前記データベースが測位受信機へ送信するステップと
を含む、Ｗｉ−Ｆｉベースのロケーション決定方法。
【請求項１２】
前記ロケーション情報及び識別子情報のいずれか又は両方を送信するステップは、前記
Ｗｉ−Ｆｉホットスポットに関する前記ロケーション情報及び前記識別子情報のいずれか
又は両方を、前記非セルラ型ビーコンネットワークを通じて前記データベースが前記測位
受信機へ送信するステップを含むものである、請求項１１に記載の方法。
【請求項１３】
前記ロケーション情報及び識別子情報のいずれか又は両方を受信するステップは、前記
データベースが、前記測位受信機とは別個のリスニングデバイスから前記Ｗｉ−Ｆｉホッ
トスポットに関する前記ロケーション情報及び識別子情報のいずれか又は両方を受信する
ステップを含むものである、請求項１１に記載の方法。
【請求項１４】
前記ロケーション情報及び識別子情報のいずれか又は両方を送信するステップは、前記
Ｗｉ−Ｆｉホットスポットに関する前記ロケーション情報及び識別子情報のいずれか又は
両方による前記データベースの更新後に、該Ｗｉ−Ｆｉホットスポットに関する該ロケー
ション情報及び識別子情報のいずれか又は両方を該データベースが前記測位受信機に送信
するステップを含むものである、請求項１１に記載の方法。
【請求項１５】
前記測位受信機は第１の測位受信機を含み、
前記ロケーション情報及び識別子情報のいずれか又は両方を送信するステップは、前記
Ｗｉ−Ｆｉホットスポットに関する前記ロケーション情報及び識別子情報のいずれか又は
両方を、前記データベースが前記第１の測位受信機と第２の測位受信機とに送信するステ
ップを含むものである、請求項１１に記載の方法。
【請求項１６】
前記ロケーション情報及び識別子情報のいずれか又は両方は、前記Ｗｉ−Ｆｉホットス
ポットのロケーションの変更を示すものであり、
前記ロケーション情報及び識別子情報のいずれか又は両方を受信するステップは、前記
データベースが、前記Ｗｉ−Ｆｉホットスポットのロケーションの変更を示す前記ロケー
ション情報及び識別子情報のいずれか又は両方を受信するステップを含むものであり、
前記ロケーション情報及び識別子情報のいずれか又は両方を送信するステップは、前記
Ｗｉ−Ｆｉホットスポットのロケーションの変更を示す前記ロケーション情報及び識別子
情報のいずれか又は両方を前記データベースが前記測位受信機に送信するステップを含む
ものである、請求項１１に記載の方法。
【請求項１７】
Ｗｉ−Ｆｉホットスポットから信号を受信し、前記Ｗｉ−Ｆｉホットスポットからの信
号の検出又は検出失敗に応じて、該Ｗｉ−Ｆｉホットスポットのステータスの変更を示す
ロケーション変更情報を、非セルラ型ビーコンネットワークを通じて送信するリスニング
デバイスを備えた、Ｗｉ−Ｆｉベースのロケーション決定のためのシステム。
【請求項１８】
前記リスニングデバイスは、前記Ｗｉ−Ｆｉホットスポットからの信号の強度を検出し
、該Ｗｉ−Ｆｉホットスポットからの信号の強度に応じて該Ｗｉ−Ｆｉホットスポットの
ステータスの変更を判断するものである、請求項１７に記載のシステム。
【請求項１９】
前記システムは、前記リスニングデバイスから前記非セルラ型ビーコンネットワークを
通じて前記ロケーション変更情報を受信し、該ロケーション変更情報を測位受信機に送信
するデータベースを更に備えており、
前記測位受信機は、前記非セルラ型ビーコンネットワークを通じて前記ロケーション変
更情報を受信するものである、請求項１７に記載のシステム。
【請求項２０】
前記ロケーション変更情報は、前記Ｗｉ−Ｆｉホットスポットのロケーションの変更を
示すロケーション変更情報を含むものである、請求項１７に記載のシステム。
【請求項２１】
測位受信機は、前記ロケーション変更情報と、非セルラ型ビーコンネットワークにより
該測位受信機が受信した測位信号とのうちの一方を用いて、該測位受信機の位置を計算す
るものである、請求項２０に記載のシステム。
【請求項２２】
前記測位受信機は更に、該測位受信機が、より高い信頼度を、前記ロケーション変更情
報において有するか、又は前記非セルラ型ビーコンネットワークにより該測位受信機が受
信した前記測位信号において有するかを判断するものである、請求項２１に記載のシステ
ム。
【請求項２３】
前記測位受信機は、前記ロケーション変更情報と、前記非セルラ型ビーコンネットワー
クにより該測位受信機が受信した前記測位信号とのうちの、該測位受信機がより高い信頼
度を有する一方を用いて、該測位受信機の位置を計算するものである、請求項２２に記載
のシステム。
【請求項２４】
前記リスニングデバイスは第１のリスニングデバイスを含み、
前記システムは、前記Ｗｉ−Ｆｉホットスポットから前記信号を受信し、該Ｗｉ−Ｆｉ
ホットスポットからの該信号の検出又は検出失敗に応じて前記ロケーション変更情報を送
信する第２のリスニングデバイスを更に備えている、請求項１７に記載のシステム。
【請求項２５】
請求項７に記載の方法を実行する測位受信機。
【請求項２６】
請求項１に記載の方法を実行するシステム。
【請求項２７】
請求項１１に記載の方法を実行するシステム。
【発明の詳細な説明】
【技術分野】
【０００１】
本開示内容は、無線通信システム及び無線通信方法に関し、より具体的には、ロケーシ
ョン決定システム及びロケーション決定方法に関する。
【０００２】
［優先権の主張］
本出願は、２０１２年４月１８日に出願された、「Systems and Methods for Local-Ar
ea-Network Assisted Location Determination」と題する米国仮特許出願第６１／６３５
，０６０号の利益を主張するものである。この仮特許出願の全開示内容は、引用すること
により本明細書の一部をなすものとする。
【背景技術】
【０００３】
グローバル・ポジショニング・システム（Global Positioning System, ＧＰＳ）技術
は、携帯電話又は移動電話のロケーションを決定するために、携帯電話において広く用い
られるようになっている。しかし、ＧＰＳ技術は、建物の内部及び都市部における密集し
た建物の谷間では効果が弱まる場合がある。したがって、カバーすることが困難なエリア
においてＧＰＳ技術を支援するために様々な技術が用いられている。Ｂｌｕｅｔｏｏｔｈ
（登録商標）及び近距離無線通信（Near-Field Communication, ＮＦＣ）等の幾つかのシ
ステムを、限られた（例えば短距離の）エリアにおいて用いることができる。Ｗｉ−Ｆｉ
ホットスポット等の他のシステムは、Ｂｌｕｅｔｏｏｔｈ又はＮＦＣよりも長い距離を提
供することができ、ロケーション決定においてＧＰＳを支援するために広く用いられてい
る。
【０００４】
Ｗｉ−Ｆｉを用いてＧＰＳを支援する際、Ｗｉ−Ｆｉホットスポットの事前のマッピン
グは、（ａ）ドライブテスト、又は（ｂ）クラウドソーシングにより行うことができる。
（ａ）のドライブテストの場合、テスト車が道路を走行し、所与のＷｉ−Ｆｉホットスポ
ットのロケーション及び識別子の情報を収集することができる。（ｂ）のクラウドソーシ
ングの場合、これらの処理は、クラウドを形成する移動電話又は携帯電話のユーザによっ
て行うことができる。例えば、移動電話又は携帯電話は、Ｗｉ−Ｆｉホットスポットのロ
ケーション及び識別子の情報を収集し、このロケーション及び識別子の情報を、セルラネ
ットワークを通して中央データベース（central database）に送ることができる。その後
、中央データベースにおいてこの情報を用いることができる。しかし、（ａ）ドライブテ
スト手法及び（ｂ）クラウドソーシング手法の両者には、不都合な点が生じる場合がある
。
【０００５】
このような不都合な点の例として以下のものが挙げられる。
１．移動電話又は携帯電話のロケーションを決定しようとする当該移動電話又は携帯電
話は、Ｗｉ−Ｆｉホットスポットの識別子（又は近傍にある複数のホットスポットの識別
子）を収集し、次にその（複数の）識別子を、セルラネットワークを通して中央データベ
ースに送信しなければならない場合がある。続いて、中央データベースはロケーションを
計算し、それを、セルラネットワークを通して移動電話又は携帯電話に送信する。このプ
ロセスは、セルラネットワークのリソース（例えば、ネットワークの信号通信リソース）
を減らしてしまう場合がある。このような利用が増えるにつれて、これはセルラネットワ
ークリソースにとって大きな負荷となる可能性がある。
２．Ｗｉ−Ｆｉホットスポットのデータベース（例えば、中央データベース）は、時間
とともにメンテナンスをする必要がある場合がある。データベースのメンテナンスがドラ
イブテストを用いて行われる場合、これは手作業であり、煩雑で、コストのかかるプロセ
スとなる場合がある。メンテナンスがクラウドソーシングを用いて実行される場合は、セ
ルラネットワークリソースが減ってしまう場合がある。
３．クラウドソーシング手法によってプライバシへの懸念が生じる場合がある。このよ
うな懸念は、データベース管理者によってある程度は対処することができるが、依然とし
てプライバシ侵害が起こる可能性がある。
４．これらの手法はいずれも、Ｗｉ−Ｆｉホットスポットのロケーションの突然の変更
に対処できるものではない。このような変更は、ユーザが通知せずに任意の時点でＷｉ−
Ｆｉホットスポットを動かす場合に自然に生じる可能性がある。この問題は、Ｗｉ−Ｆｉ
ホットスポットの可搬性が上がるとともに、極めて深刻となる場合がある。これはあまり
一般的でないかもしれないが、移動電話又は携帯電話により提供される範囲は送信電力に
起因して限定される場合があるため、追加の範囲が得られるようにＷｉ−Ｆｉホットスポ
ットが移動可能であることが想定される。
【発明の概要】
【０００６】
幾つかの実施形態によれば、Ｗｉ−Ｆｉベースのロケーション決定方法は、データベー
スが、Ｗｉ−Ｆｉホットスポットのロケーションの変更を示すロケーション変更情報を受
信するステップを含むことができる。本方法は、ロケーション変更情報をデータベースか
ら測位受信機に送信するステップを含むことができる。本方法を実行するシステムも提供
することができる。
【０００７】
幾つかの実施形態において、ロケーション変更情報は、非セルラ型ビーコンネットワー
クを通じてデータベースにより受信及び送信のいずれか又は両方を行うことができる。さ
らに、ロケーション変更情報は、データベースが測位受信機とは別個のリスニングデバイ
スから受信することができる。ロケーション変更情報を用いてデータベースを更新した後
、このロケーション変更情報をデータベースから送信することができる。付加的に又は代
替的に、ロケーション変更情報はデータベースから第１の測位受信機及び第２の測位受信
機に送信することができる。
【０００８】
幾つかの実施形態によれば、測位受信機を動作させる方法は、測位受信機において、Ｗ
ｉ−Ｆｉホットスポットのロケーションの変更を示すロケーション変更情報を受信するス
テップを含むことができる。本方法は、測位受信機の位置を、ロケーション変更情報と、
非セルラ型ビーコンネットワークを用いて測位受信機が受信する測位信号とのうちの一方
を用いて計算するステップを含むことができる。本方法を実行する測位受信機も提供する
ことができる。
【０００９】
幾つかの実施形態において、本方法は、測位受信機が、より高い信頼度を、ロケーショ
ン変更情報において有するか、又は非セルラ型ビーコンネットワークを用いてこの測位受
信機が受信する測位信号において有するかを判断するステップを含むことができる。この
ため、測位受信機の位置を計算するステップは、ロケーション変更情報と、非セルラ型ビ
ーコンネットワークを用いて測位受信機が受信する測位信号とのうちの、測位受信機がよ
り高い信頼度を有する一方を用いて、測位受信機の位置を計算するステップを含むことが
できる。さらに、ロケーション変更情報を受信するステップは、測位受信機において、非
セルラ型ビーコンネットワークを通じてロケーション変更情報を受信するステップを含む
ことができる。
【００１０】
幾つかの実施形態によれば、Ｗｉ−Ｆｉベースのロケーション決定方法は、データベー
スにおいて、非セルラ型ビーコンネットワークを通じてＷｉ−Ｆｉホットスポットに関す
るロケーション情報及び識別子情報のいずれか又は両方を受信するステップを含むことが
できる。本方法は、データベースから測位受信機へ、Ｗｉ−Ｆｉホットスポットに関する
ロケーション情報及び識別子情報のいずれか又は両方を送信するステップを含むことがで
きる。本方法を実行するシステムも提供することができる。
【００１１】
幾つかの実施形態において、ロケーション情報及び識別子情報のいずれか又は両方を送
信するステップは、データベースから測位受信機へ、非セルラ型ビーコンネットワークを
通じて、Ｗｉ−Ｆｉホットスポットに関するロケーション情報及び識別子情報のいずれか
又は両方を送信するステップを含むことができる。Ｗｉ−Ｆｉホットスポットに関するロ
ケーション情報及び識別子情報のいずれか又は両方を用いてデータベースを更新した後、
ロケーション情報及び識別子情報のいずれか又は両方を送信することができる。付加的に
又は代替的に、Ｗｉ−Ｆｉホットスポットに関するロケーション情報及び識別子情報のい
ずれか又は両方をデータベースから第１の測位受信機及び第２の測位受信機に送信するこ
とができる。さらに、ロケーション情報及び識別子情報のいずれか又は両方を受信するス
テップは、データベースにおいて、測位受信機とは別個のリスニングデバイスからＷｉ−
Ｆｉホットスポットに関するロケーション情報及び識別子情報のいずれか又は両方を受信
するステップを含むことができる。ロケーション情報及び識別子情報のいずれか又は両方
は、Ｗｉ−Ｆｉホットスポットのロケーションの変更を示すものとすることができる。
【００１２】
幾つかの実施形態によれば、Ｗｉ−Ｆｉベースのロケーション決定のためのシステムは
、Ｗｉ−Ｆｉホットスポットから信号を受信するリスニングデバイスを含むことができる
。リスニングデバイスは、Ｗｉ−Ｆｉホットスポットからの信号を検出するか又は検出失
敗に応じて、Ｗｉ−Ｆｉホットスポットのステータスの変更を示すロケーション変更情報
を、非セルラ型ビーコンネットワークを通じて送信するように更に構成することができる
。
【００１３】
幾つかの実施形態において、リスニングデバイスは、Ｗｉ−Ｆｉホットスポットからの
信号の強度を検出し、Ｗｉ−Ｆｉホットスポットからの信号の強度に応じてＷｉ−Ｆｉホ
ットスポットのステータスの変更を判断するように構成することができる。さらに、シス
テムは、リスニングデバイスから非セルラ型ビーコンネットワークを通じてロケーション
変更情報を受信するデータベースを備えることができる。データベースは、Ｗｉ−Ｆｉホ
ットスポットのステータスの変更を示すロケーション情報及び識別子情報のいずれか又は
両方を測位受信機に送信するように構成することもできる。測位受信機は、データベース
から非セルラ型ビーコンネットワークを通じてロケーション変更情報を受信するように構
成することができる。
【００１４】
幾つかの実施形態において、ロケーション変更情報は、Ｗｉ−Ｆｉホットスポットのロ
ケーションの変更を示すことができる。測位受信機は、ロケーション変更情報と、非セル
ラ型ビーコンネットワークを用いて測位受信機が受信する測位信号とのうちの一方を用い
て、測位受信機の位置を計算するように構成することができる。測位受信機は、より高い
信頼度を、ロケーション変更情報において有するか、又は非セルラ型ビーコンネットワー
クを用いてこの測位受信機が受信する測位信号において有するかを判断するように構成す
ることができる。測位受信機は、ロケーション変更情報と、非セルラ型ビーコンネットワ
ークを用いて測位受信機が受信する測位信号とのうちの、測位受信機がより高い信頼度を
有する一方を用いて測位受信機の位置を計算するように構成することができる。
【００１５】
幾つかの実施形態において、システムは、Ｗｉ−Ｆｉホットスポットから信号を受信し
、Ｗｉ−Ｆｉホットスポットからの信号を検出するか又は検出失敗に応じて、ロケーショ
ン変更情報を送信する第１のリスニングデバイス及び第２のリスニングデバイスを備える
ことができる。
【図面の簡単な説明】
【００１６】
【図１】本明細書に記載の様々な実施形態による、測位受信機及び少なくとも１つのＷｉ−Ｆｉホットスポットを含む地理的エリアを示す説明図である。
【図２Ａ】本明細書に記載の様々な実施形態による、Ｗｉ−Ｆｉベースのロケーション決定の性能を向上させる処理を示すフローチャートである。
【図２Ｂ】本明細書に記載の様々な実施形態による、Ｗｉ−Ｆｉベースのロケーション決定の性能を向上させる処理を示すフローチャートである。
【図２Ｃ】本明細書に記載の様々な実施形態による、Ｗｉ−Ｆｉベースのロケーション決定の性能を向上させる処理を示すフローチャートである。
【図２Ｄ】本明細書に記載の様々な実施形態による、Ｗｉ−Ｆｉベースのロケーション決定の性能を向上させる処理を示すフローチャートである。
【発明を実施するための形態】
【００１７】
次に、本発明の具体的で例示的な実施形態を、添付の図面を参照して説明する。しかし
、本発明は様々な異なる形式で実施することができ、本明細書において示す実施形態に限
定されるものと解釈されるべきでない。むしろ、これらの実施形態は、本開示内容が徹底
した完全なものとなり、本発明の範囲を当業者に十分に伝えるものとなるように提供され
る。図面において、同様の符号は同様の要素を指す。ある要素が別の要素に「接続されて
いる」、「結合されている」又は「応じる」と言う場合、前記ある要素は前記別の要素に
直接的に接続、結合又は応答することもできるし、介在する要素が存在していてもよいこ
とが理解されよう。さらに、「接続されている」、「結合されている」又は「応じる」と
は、本明細書において、無線による接続、結合又は応答を含む。
【００１８】
本明細書において用いられる用語は、特定の実施形態を説明することだけを目的として
おり、本発明の限定を意図するものではない。本明細書において、単数形「a」、「an」
、「the」は、特に明示のない限り、複数形をも含むことが意図されている。本明細書に
おいて用いられる場合、用語「含む（include）」「備える、含む（comprise）」、「含
んでいる（including）」及び／又は「備えている、含んでいる（comprising）」は、述
べられている特徴、ステップ、動作、要素、及び／又は構成要素の存在を特定するが、１
以上の他の特徴、ステップ、動作、要素、構成要素、及び／又はそれらのグループの存在
又は追加を除外するものではないことが更に理解されよう。本明細書において用いられる
とき、「及び／又は」という用語は、関連する列挙された１以上の項目のうちの任意のも
の及びそれらの全ての組み合わせを含む。また、「／」というシンボルは、「及び／又は
」の略記として用いられる。
【００１９】
他に定めのない限り、本明細書において用いられる全ての用語（技術用語及び科学用語
を含む）は、本発明が属する技術分野の当業者により一般に理解される意味と同じ意味を
有する。一般に用いられる辞書において定義される用語等の用語が、関連する技術分野及
び本開示での意味と一致する意味を有するものとして解釈されるべきであり、本明細書に
おいて、理想化された、又は過度に形式張った意味で明確に定義される場合を除き、その
ような意味で解釈されることにはならないことが更に理解されよう。
【００２０】
「第１の（first）」及び「第２の（second）」という用語は、種々の要素を述べるた
めに本明細書で使用される場合があるが、これらの要素は、これらの用語によって限定さ
れるべきでないことが理解されるであろう。これらの用語は、ある１つの要素と別の要素
を区別するために使用されるだけである。このため、本発明の教示から逸脱することなく
、以下で第１の要素は第２の要素と呼ぶことができ、同様に、第２の要素を第１の要素と
呼ぶことができる。
【００２１】
本発明は、本発明の実施形態による方法及びシステムのブロック図及びフローチャート
を参照しながら以下に部分的に説明する。ブロック図及び／又はフローチャートの１以上
の所与のブロックは、方法及び／又はシステムのサポートを与える。
【００２２】
幾つかの代替の実施態様では、フローチャートにおいて言及される機能／動作が、フロ
ーチャートにおいて言及された順序に反して行われる場合があることにも留意されたい。
例えば、連続して示される２つのブロックは実際には実質的に同時に実行される場合もあ
るし、関与する機能／動作によっては、それらのブロックは逆の順序で実行される場合も
ある。最後に、１以上のブロックの機能は、他のブロックの機能から切り離すこともでき
るし、及び／又は他のブロックの機能と組み合わせることもできる。
【００２３】
本明細書に記載のシステム及び方法は、ローカルエリアネットワークを利用したロケー
ション決定（例えば、Ｗｉ−Ｆｉを利用したロケーション決定）に関連する様々な問題を
どのように緩和するかに対処するものである。例えば、本明細書に記載の処理は以下の３
つの要素を含むことができる。
（１）Ｗｉ−Ｆｉホットスポット（例えば、個人、法人、公衆及び／又はプライベート
のＷｉ−Ｆｉホットスポット）に関するデータ収集
（２）Ｗｉ−Ｆｉホットスポットに関するデータベースから、１以上の測位受信機（po
sitioning device）（例えば、データベースと通信することが可能な移動電話、携帯電話
又は任意の他のポータブル電子デバイス）に対する情報の送信
（３）（複数の）各測位受信機におけるロケーション決定の実行又は処理
【００２４】
さらに、広域測位システム（Wide Area Positioning System）（又は広域位置特定サー
ビス（Wide Area Position-location Service））（ＷＡＰＳ）等の他の技術が登場して
いる。ＷＡＰＳネットワーク又はシステムにおいて、ビーコンが地理的エリアに置かれ、
ＧＰＳのような信号を送信する。これらの信号は、様々なポータブル電子ユーザデバイス
（携帯電話を含む）のロケーション決定のために用いることができる。本明細書に記載の
動作は、ＷＡＰＳネットワーク又はシステムの有無に関わらず用いることができる。
【００２５】
続いて図１を参照すると、地上ベース（terrestrial-based）の測位受信機１０１（例
えば、「地上受信機」又は「測位受信機（positioning device）」）が地理的エリア１０
２内に示されている。測位受信機１０１は、様々なタイプのポータブル電子ユーザデバイ
ス（移動電話又は携帯電話、及び電話機能を有しないユーザデバイスを含む）のうちの１
つ（又はその一部）とすることができる。測位受信機１０１は、地理的エリア１０２内の
任意の場所に位置することができ、特に、建物内又は他の影になったロケーション等の、
衛星受信がうまくできないエリアに位置する場合がある。図１は単一の測位受信機１０１
を示しているが、複数の測位受信機１０１が地理的エリア１０２内に位置することができ
る。幾つかの実施形態では、地理的エリア１０２内に数百、数千、又はそれより多くの測
位受信機１０１が位置することができる。
【００２６】
さらに、（複数の）測位受信機１０１は、地理的エリア１０２内の１以上のＷｉ−Ｆｉ
ホットスポット１２１〜１２３と通信することができる。図１は３つのＷｉ−Ｆｉホット
スポット１２１〜１２３を示しているが、当業者であれば、より多くの又はより少ないＷ
ｉ−Ｆｉホットスポットを含む地理的エリアを理解するであろう。さらに、Ｗｉ−Ｆｉホ
ットスポット１２１〜１２３から送信される信号を検出／報告する１以上のリスニングデ
バイス（Listening Device, ＬＤ）１０４を地理的カバーエリア１０２内の様々なロケー
ションに配置することができる。
【００２７】
さらに図１には、ビーコン１１１〜１１５を含む地上ベースのビーコンネットワーク（
Terrestrial-based Beacon Network, ＴＢＮ）も示している。さらに、コントローラ１０
３は、ビーコン１１１〜１１５のうちの１以上からの送信を制御することができる。コン
トローラ１０３は、ビーコン１１１〜１１５のうちの１以上の外部／内部に設けることが
できる。図１は５つのビーコン１１１〜１１５を示しているが、当業者であれば、より多
くの又はより少ないビーコンを含むＴＢＮを理解するであろう。さらに、幾つかの実施形
態では、ビーコン１１１〜１１５を含むＴＢＮは、ＷＡＰＳネットワークの一部とするこ
とができる。
【００２８】
複数のビーコン１１１〜１１５は、地理的エリア１０２をカバーし、地理的エリア１０
２内の測位受信機１０１に測位信号（positioning signal）を提供することができる。幾
つかの実施形態では、測位受信機１０１はＧＰＳ受信機を含むことができ、ビーコン１１
１〜１１５はＧＰＳ受信機にＧＰＳロケーション特定の支援を提供することができる。ビ
ーコン１１１〜１１４等のビーコンのうちの多くは、地理的エリア１０２の境界又は境界
近くに位置することができる。さらに、ビーコン１１５等の幾つかのビーコンは地理的エ
リア１０２の十分内部に位置することができる。
【００２９】
［１．Ｗｉ−Ｆｉホットスポットに関するデータ収集］
地理的エリア１０２内のＷｉ−Ｆｉホットスポットに関するデータ収集は、ドライブテ
スト、クラウドソーシング及びリスニングデバイス（例えばＬＤ１０４）の組合せを用い
て行うことができる。ＬＤ１０４は、地理的エリア１０２内の様々なロケーションに設置
することができる。ＬＤ１０４のロケーションは、Ｗｉ−Ｆｉホットスポットが移動した
かどうかを判断するためのリアルタイム情報を提供できるようにするために分散させるこ
とができる。例えば、図１は、ビーコン１１１の一部であるＬＤ１０４と、ビーコン１１
１〜１１５から切り離された別のＬＤ１０４とを示している。ＬＤ１０４は、全方向アン
テナを用いることができるか、又は指向性／スマートアンテナを用いて、リスニング可能
な距離を増加させることができる。また、リスニング可能な距離が大きい場合は、地理的
エリア１０２内に展開されるＬＤ１０４の数を減らすことができる。
【００３０】
Ｗｉ−Ｆｉホットスポットの状態の変更を検出する１つの例は、Ｗｉ−Ｆｉホットスポ
ット（例えば図１に示したＷｉ−Ｆｉホットスポット１２３）が動いたことを、該Ｗｉ−
Ｆｉホットスポット１２３から検出される信号強度の変化に基づいて判断することである
。検出される信号強度の変化は、Ｗｉ−Ｆｉホットスポット１２３からの信号を過去に検
出したＬＤ１０４において、Ｗｉ−Ｆｉホットスポット１２３から検出された信号が一切
存在しないということなどにより示すことができる。あるいは、検出される信号強度の変
化は、ＬＤ１０４において検出されるＷｉ−Ｆｉホットスポット１２３からの信号強度の
低減（ただし全く存在しないわけではない）によって示すことができる。さらに、検出さ
れる信号強度の変化は、ＬＤ１０４においてＷｉ−Ｆｉホットスポット１２１から検出さ
れる信号強度に対する、Ｗｉ−Ｆｉホットスポット１２３から検出される信号強度の変化
によって示すことができる。他の例では、Ｗｉ−Ｆｉホットスポット１２３が別のＬＤ１
０４（すなわち、Ｗｉ−Ｆｉホットスポット１２３を過去に検出していなかったＬＤ１０
４）によって検出された場合に、Ｗｉ−Ｆｉホットスポット１２３が移動したと判断する
ことができる。Ｗｉ−Ｆｉホットスポット１２３の状態のこのような変更は、中央のロケ
ーション（例えばＷｉ−Ｆｉホットスポット１２１〜１２３のための中央データベース（
central database）１０５）に報告される。
【００３１】
様々な実施形態によれば、変更のみが中央データベース１０５に報告される。つまり、
Ｗｉ−Ｆｉホットスポット１２３が動いたか否かに関わらずステータスを繰り返し送信す
るのではなく、Ｗｉ−Ｆｉホットスポット１２３のステータスの変更のみを送信すること
によって、（例えば、変更の報告に用いられるＷＡＰＳ／セルラ／他のネットワークの）
ネットワーク信号通信の容量を節約することができる。
【００３２】
さらに、Ｗｉ−Ｆｉホットスポットの情報を収集及び報告／送信するこれらの動作は、
ドライブテスト及び／又はクラウドソーシングと合わせて用いることができる。さらに、
これらの動作は、地理的エリア全体（例えば、地理的エリア１０２の全体）にわたって、
又は重大な問題が予期されるエリア（すなわち、Ｗｉ−Ｆｉホットスポット１２３の経時
的なロケーション変更が予期されるエリア）のみにわたって用いることができる。
【００３３】
さらに、クラウドソーシングは、ＷＡＰＳシステム（例えばビーコン１１１〜１１５等
のビーコンを用いるＷＡＰＳシステム）と組み合わせて用いることができる。ＷＡＰＳシ
ステムは、ＧＰＳが建物内又は建物の谷間にある測位受信機１０１のロケーションを提供
できない場合であっても、それを行うことができる場合がある。クラウドソーシングを用
いて、ＷＡＰＳ機能を備えた携帯電話（又は他の可搬型電子ユーザデバイス）は、Ｗｉ−
Ｆｉホットスポット（例えばＷｉ−Ｆｉホットスポット１２３）のロケーションが変わっ
たかどうかを判断／検出し、そのような変更を、ＷＡＰＳシステムを通じて中央データベ
ース１０５に報告することができ得る。携帯電話は、Ｗｉ−Ｆｉホットスポット１２３の
信号強度／識別子を、自己のロケーションとともに、ＷＡＰＳシステムから中央データベ
ース１０５に送信することもでき得る。したがって、クラウドソーシングのために用いら
れる携帯電話は、Ｗｉ−Ｆｉホットスポットに関する情報を、セルラシステムのネットワ
ークリソースを用いて送信するのではなく、ＷＡＰＳシステムを通じて該情報を送信する
ことができる。
【００３４】
ＷＡＰＳを備えたデバイス（例えば携帯電話及び他の可搬型電子デバイス）は、自己の
ロケーションを（例えば、ＷＡＰＳネットワーク／システムによって送信される測位信号
を用いて）求めることができる。しかし、ロケーション決定にあたりＷｉ−Ｆｉホットス
ポットが依然として有用である場合がある。その理由は、ＷＡＰＳビーコンのロケーショ
ン及びトポロジによっては、ロケーション決定のためのＷｉ−Ｆｉホットスポットベース
の方法がＷＡＰＳ方法単独よりも正確である場合があるからである。したがって、位置及
びロケーションの決定に関し最良の結果を得るために両方法を用いることが有用な場合が
ある。
【００３５】
［２．Ｗｉ−Ｆｉホットスポットに関するデータベースから測位受信機に向けた情報の
送信］
中央データベース１０５、ＬＤ１０４、及び／又は遠隔の携帯電話（又は他の可搬型電
子ユーザデバイス）が、Ｗｉ−Ｆｉホットスポットのロケーションのステータスが変わっ
たと判断した場合は、このステータス変更を、自己の位置の計算（position location ca
lculation）を行う全ての測位受信機１０１に伝える必要がある。つまり、測位受信機１
０１自体が、中央データベース１０５から送信されたステータス変更の情報を用いて自己
の位置の計算をすることができる。Ｗｉ−Ｆｉホットスポットのロケーションのステータ
ス変更の通信は、（測位受信機１０１ではなく）中央データベース１０５が位置の計算を
する場合に必須ではない場合があるが、ステータス変更のこのような通信は、本明細書に
記載の動作を最大限に活用するのに役立つ場合がある。同じことが、クラウドソーシング
がＷＡＰＳとともに用いられ、ネットワーク信号通信の容量を節約するために携帯電話（
又は他の可搬型電子ユーザデバイス）から中央データベース１０５に変更のみが送信され
る場合にもいえる。
【００３６】
［３．位置の計算］
携帯電話（又は別の可搬型電子ユーザデバイス）は、Ｗｉ−Ｆｉホットスポットのロケ
ーション及び識別子をそのメモリ内に記憶することができる。例えば、測位受信機１０１
は、Ｗｉ−Ｆｉホットスポット１２１〜１２３のロケーション及び識別子をメモリ内に記
憶することができる。この情報は最新であるとみなされる。その理由は、Ｗｉ−Ｆｉホッ
トスポット１２１〜１２３のロケーションの任意の変更が、ブロードキャストチャネルを
通じてか、携帯電話ネットワークを通じてか、又はインターネット等の何らかの他の方法
により、リアルタイムで全ての測位受信機１０１に送信されるからである。
【００３７】
Ｗｉ−Ｆｉホットスポットのロケーション及び識別子の情報とともに、「良好度（good
ness）」（例えば、正確度、信頼度）の行列（又はマトリックス）を測位受信機１０１に
記憶することができる。この良好度行列は、ドライブテストを用いて、又はＷＡＰＳ技術
における信頼度がより大きい場合にはＷＡＰＳ技術を用いて求めることができる。「良好
度」はロケーションの正確度の観点で定義することができる。換言すれば、その目的は、
測位受信機１０１のロケーションのための最も正確な位置決定（fix）を得ることである
。測位受信機１０１は、あるＷｉ−Ｆｉホットスポット（例えばＷｉ−Ｆｉホットスポッ
ト１２３）に関連するロケーション情報の「良好度」を、ＷＡＰＳ等の別の方法に関連す
る「良好度」と比較することができる。測位受信機１０１は、最大の信頼度を有する方法
を選択する。選択される方法は、測位受信機１０１が中央データベース１０５に情報を送
信することを必ずしも必要とするわけではなく、中央データベース１０５がロケーション
を計算して、そのロケーションを、セルラネットワークを通じて測位受信機１０１に返送
することを必ずしも必要とするわけでもない。
【００３８】
続いて図２Ａ〜図２Ｄを参照する。本明細書に記載の様々な実施形態による、Ｗｉ−Ｆ
ｉベースのロケーション決定の性能を改善する処理を示すフローチャートが提供される。
図２Ａに示しているように、本処理は、Ｗｉ−Ｆｉホットスポットに関するロケーション
情報及び／又は識別子（例えば、モデル番号、製造者名、モデル／デバイス名、所有者名
等）の情報を収集するステップ（ブロック２０５）を含む。例えば、リスニングデバイス
１０４、クラウドソーシング、及び／又はドライブテストに関して本明細書に記載の手法
を用いて、Ｗｉ−Ｆｉホットスポット１２１〜１２３のうちの１以上に関するロケーショ
ン及び／又は識別子の情報を収集することができる。
次に、この情報は、（例えばビーコン１１１〜１１５のうちの１以上を介して、又は別
のネットワークを介して）中央データベース１０５へと送信することができる（ブロック
２１５）。
この情報を用いて中央データベース１０５を更新した後、この情報を、中央データベー
ス１０５から測位受信機１０１のうちの１以上へと送信することができる（ブロック２２
５）。
【００３９】
図２Ａに示したブロック２０５と、図２Ａのブロック２１５及び２２５のそれぞれの変
更形態であるブロック２１５’及び２２５’とを図２Ｂに示している。特に、図２Ｂのブ
ロック２１５’は、様々な実施形態によれば、中央データベース１０５に対する情報の送
信を、その情報に関する変更（おそらく変更のみ）を送信することによって行うことがで
きることを示している。例えば、変更は、Ｗｉ−Ｆｉホットスポット１２３に関する情報
を、該Ｗｉ−Ｆｉホットスポット１２３に関する、（例えば、ＬＤ１０４のうちの１以上
において）過去に記憶された情報と比較することによって検出することができる。また、
ブロック２１５’は、Ｗｉ−Ｆｉホットスポット１２３のステータスの変更を、非セルラ
型ビーコンネットワークを通じて（例えばビーコン１１１〜１１５のうちの１以上を通じ
て）送信することができることを更に示している。そのため、セルラネットワーク信号通
信の容量は、他の使用（例えば、通話及び／又はインターネットデータ）のために確保す
ることができる。
さらに、図２Ｂのブロック２２５’は、中央データベース１０５から測位受信機１０１
に変更を送信することを示している。さらに、図２Ｂは「複数の変更（changes）」を示
しているが、Ｗｉ−Ｆｉホットスポット１２３のロケーションについて検出された単一の
変更を中央データベース１０５に報告し（ブロック２１５’）、中央データベース１０５
から測位受信機１０１に送信する（ブロック２２５’）ことができることも理解されよう
。
【００４０】
図２Ｃには、図２Ｂに示したブロック２０５及び２１５’を示している。さらに、ブロ
ック２２５’’を示しており、これは図２Ｂのブロック２２５’の変更形態である。特に
、図２Ｃのブロック２２５’’は、セルラネットワークではなくビーコンネットワークを
通じて（例えばＷＡＰＳビーコンとすることができるビーコン１１１〜１１５のうちの１
以上を用いて）中央データベース１０５から測位受信機１０１に変更を送信することがで
きることを示している。あるいは、様々な実施形態によれば、中央データベース１０５か
らセルラネットワークを通じて測位受信機１０１に変更を送信することができる。
【００４１】
図２Ｄには、図２Ｃに示したブロック２０５〜２２５’’とブロック２３５とを示して
いる。特に、図２Ｄにおけるブロック２３５は、中央データベース１０５から提供される
、（例えばＷｉ−Ｆｉホットスポット１２３に関する）更新されたロケーションステータ
スを用いた測位受信機１０１の位置の計算を示している。様々な実施形態によれば、測位
受信機１０１自体が、この更新されたロケーションステータス情報を用いて自己の位置を
計算することができる。付加的に又は代替的には、測位受信機１０１は、Ｗｉ−Ｆｉホッ
トスポット１２３のロケーションに関わらず、（ＷＡＰＳネットワークの一部とすること
ができる）ビーコン１１１〜１１５のうちの１以上から該測位受信機１０１に対して直接
的に提供される測位信号（例えば、ＧＰＳライクな測位信号）においてより高い信頼度を
有していることを、（例えば本明細書に記載の良好度行列を用いて）判断することができ
る。
【００４２】
したがって、本明細書に記載の様々な処理によれば、以下を含む幾つかの利点が提供さ
れうる。
１．セルラネットワークにおける信号通信容量の確保
２．より高速なロケーション決定
３．より少ない送信と、より短い位置計算時間（time to find fix, TTFF）とによる、
測位受信機１０１のバッテリ電力の確保
４．測位受信機１０１におけるＷＡＰＳ方式との組み合わせ可能性
５．ＷＡＰＳネットワーク自体を用いてＷｉ−Ｆｉホットスポットのステータス（すな
わちロケーション）の変更を報告することができ、これによりステータス変更を報告する
にあたり携帯電話ネットワークを用いる必要がなくなる。これは、Ｗｉ−Ｆｉ接続及び／
又はインターネット接続を有するものの、セルラネットワーク機能のない測位受信機１０
１の場合に有用な可能性がある。
６．あるいは携帯電話機能を有する測位受信機１０１が、Ｗｉ−Ｆｉホットスポットの
カバーエリア内又はＷＡＰＳネットワークのカバーエリア内にあるものの、セルラネット
ワークのカバーエリア内にないときに、これは有用な可能性がある。
【００４３】
本明細書において、上記の説明及び図面に関連して種々の異なった実施形態を開示した
。これらの実施形態の全ての組合せ及び部分的な組合せをそのまま説明して図示すること
は、過度に繰返しが多くわかりにくいものとなることが理解されよう。したがって、図面
を含む本明細書は、本明細書に記載の実施形態並びにそれらを作り、用いる方式及びプロ
セスの全ての組合せ及び部分的な組合せに関する完全な明細書を構成するものとして解釈
され、任意のそのような組合せ又は部分的組合せに対する特許請求の範囲をサポートする
ものである。
【００４４】
図面及び明細書に、本発明の例示的な実施形態が開示されている。特定の用語を使用し
ているものの、それらの用語は、一般的かつ説明的な意味でのみ用いており、限定を目的
として用いているわけではない。本発明の範囲は、以下の特許請求の範囲により定められ
る。
【図１】
2018097002.tif 000003
【図２Ａ】
2018097002.tif 000004
【図２Ｂ】
2018097002.tif 000005
【図２Ｃ】
2018097002.tif 000006
【図２Ｄ】
2018097002.tif 000007
【手続補正書】
【提出日】平成30年2月8日(2018.2.8)
【手続補正１】
【補正対象書類名】特許請求の範囲
【補正対象項目名】全文
【補正方法】変更
【補正の内容】
【特許請求の範囲】
【請求項１】
Ｗｉ−Ｆｉホットスポットのロケーション変更を示すロケーション変更情報を、複数のＷｉ−Ｆｉホットスポットに関する情報を複数の測位受信機に提供する中央データベースが、広域測位システム（ＷＡＰＳ）の非セルラ型ビーコンネットワークを通じて受信するステップであって、前記Ｗｉ−Ｆｉホットスポットは前記ＷＡＰＳの非セルラ型ビーコンネットワークに属していないものである、ステップと、
前記ロケーション変更情報を前記中央データベースが、前記ＷＡＰＳの非セルラ型ビーコンネットワークを通じて、前記複数の測位受信機に送信するステップと
を含む、Ｗｉ−Ｆｉベースのロケーション決定方法。
【請求項２】
前記ロケーション変更情報を受信するステップは、前記中央データベースが前記複数の測位受信機とは別個のリスニングデバイスから前記ロケーション変更情報を受信するステップを含む、請求項１に記載の方法。
【請求項３】
前記ロケーション変更情報を送信するステップは、前記ロケーション変更情報による前記中央データベースの更新後に、該ロケーション変更情報を該中央データベースが前記複数の測位受信機に送信するステップを含む、請求項１に記載の方法。
【請求項４】
Ｗｉ−Ｆｉホットスポットのロケーションの変更と変更後のロケーションとを示すロケーション変更情報を測位受信機が受信するステップと、
前記ロケーション変更情報と、非セルラ型ビーコンネットワークにより前記測位受信機が受信した測位信号とのうちの一方を用いて、前記測位受信機の位置を計算するステップであって、前記Ｗｉ−Ｆｉホットスポットは前記非セルラ型ビーコンネットワークに属していないものである、ステップと
を含む、測位受信機を動作させる方法。
【請求項５】
前記ロケーション変更情報と、前記非セルラ型ビーコンネットワークにより前記測位受信機が受信した前記測位信号とのいずれがより高いロケーション正確度を有するかを判断するステップを更に含む請求項４に記載の方法。
【請求項６】
前記測位受信機の位置を計算するステップは、前記ロケーション変更情報と、前記非セルラ型ビーコンネットワークを用いて前記測位受信機が受信した前記測位信号とのうちの、より高いロケーション正確度を有する一方を用いて、該測位受信機の位置を計算するステップを含むものである、請求項５に記載の方法。
【請求項７】
前記ロケーション変更情報を受信するステップは、前記測位受信機が非セルラ型ビーコンネットワークを通じて前記ロケーション変更情報を受信するステップを含むものである、請求項４に記載の方法。
【請求項８】
Ｗｉ−Ｆｉホットスポットに関するロケーション情報及び識別子情報のいずれか又は両方を、測位受信機のロケーション決定のためにＧＰＳライクな信号を送信する複数のビーコンを有する非セルラ型ビーコンネットワークを通じてデータベースが受信するステップであって、前記Ｗｉ−Ｆｉホットスポットは前記非セルラ型ビーコンネットワークに属していないものである、ステップと、
前記Ｗｉ−Ｆｉホットスポットに関するロケーション情報及び識別子情報のいずれか又は両方を前記データベースが測位受信機へ送信するステップと
を含む、Ｗｉ−Ｆｉベースのロケーション決定方法。
【請求項９】
前記ロケーション情報及び識別子情報のいずれか又は両方を送信するステップは、前記Ｗｉ−Ｆｉホットスポットに関する前記ロケーション情報及び前記識別子情報のいずれか又は両方を、前記非セルラ型ビーコンネットワークを通じて前記データベースが前記測位受信機へ送信するステップを含むものである、請求項８に記載の方法。
【請求項１０】
前記ロケーション情報及び識別子情報のいずれか又は両方を受信するステップは、前記データベースが、前記測位受信機とは別個のリスニングデバイスから前記Ｗｉ−Ｆｉホットスポットに関する前記ロケーション情報及び識別子情報のいずれか又は両方を受信するステップを含むものである、請求項８に記載の方法。
【請求項１１】
前記ロケーション情報及び識別子情報のいずれか又は両方を送信するステップは、前記Ｗｉ−Ｆｉホットスポットに関する前記ロケーション情報及び識別子情報のいずれか又は両方による前記データベースの更新後に、該Ｗｉ−Ｆｉホットスポットに関する該ロケーション情報及び識別子情報のいずれか又は両方を該データベースが前記測位受信機に送信するステップを含むものである、請求項８に記載の方法。
【請求項１２】
前記測位受信機は第１の測位受信機を含み、
前記ロケーション情報及び識別子情報のいずれか又は両方を送信するステップは、前記Ｗｉ−Ｆｉホットスポットに関する前記ロケーション情報及び識別子情報のいずれか又は両方を、前記データベースが前記第１の測位受信機と第２の測位受信機とに送信するステップを含むものである、請求項８に記載の方法。
【請求項１３】
前記ロケーション情報及び識別子情報のいずれか又は両方は、前記Ｗｉ−Ｆｉホットスポットのロケーションの変更を示すものであり、
前記ロケーション情報及び識別子情報のいずれか又は両方を受信するステップは、前記データベースが、前記Ｗｉ−Ｆｉホットスポットのロケーションの変更を示す前記ロケーション情報及び識別子情報のいずれか又は両方を受信するステップを含むものであり、
前記ロケーション情報及び識別子情報のいずれか又は両方を送信するステップは、前記Ｗｉ−Ｆｉホットスポットのロケーションの変更を示す前記ロケーション情報及び識別子情報のいずれか又は両方を前記データベースが前記測位受信機に送信するステップを含むものである、請求項８に記載の方法。
【請求項１４】
Ｗｉ−Ｆｉホットスポットから信号を受信し、前記Ｗｉ−Ｆｉホットスポットからの信号の検出又は検出失敗に応じて、該Ｗｉ−Ｆｉホットスポットのステータスの変更を示すロケーション変更情報を、測位受信機のロケーション決定のためにＧＰＳライクな信号を送信する複数のビーコンを有する非セルラ型ビーコンネットワークを通じて送信するリスニングデバイスを備え、前記Ｗｉ−Ｆｉホットスポットは前記非セルラ型ビーコンネットワークに属していないものである、Ｗｉ−Ｆｉベースのロケーション決定のためのシステム。
【請求項１５】
前記リスニングデバイスは、前記Ｗｉ−Ｆｉホットスポットからの信号の強度を検出し、該Ｗｉ−Ｆｉホットスポットからの信号の強度に応じて該Ｗｉ−Ｆｉホットスポットのステータスの変更を判断するものである、請求項１４に記載のシステム。
【請求項１６】
前記システムは、前記リスニングデバイスから前記非セルラ型ビーコンネットワークを通じて前記ロケーション変更情報を受信し、該ロケーション変更情報を測位受信機に送信するデータベースを更に備えており、
前記測位受信機は、前記非セルラ型ビーコンネットワークを通じて前記ロケーション変更情報を受信するものである、請求項１４に記載のシステム。
【請求項１７】
前記ロケーション変更情報は、前記Ｗｉ−Ｆｉホットスポットのロケーションの変更と変更後のロケーションとを示すロケーション変更情報を含むものである、請求項１４に記載のシステム。
【請求項１８】
測位受信機は、前記ロケーション変更情報と、非セルラ型ビーコンネットワークにより該測位受信機が受信した測位信号とのうちの一方を用いて、該測位受信機の位置を計算するものである、請求項１７に記載のシステム。
【請求項１９】
前記測位受信機は更に、前記ロケーション変更情報と、前記非セルラ型ビーコンネットワークにより該測位受信機が受信した前記測位信号とのいずれがより高いロケーション正確度を有するかを判断するものである、請求項１８に記載のシステム。
【請求項２０】
前記測位受信機は、前記ロケーション変更情報と、前記非セルラ型ビーコンネットワークにより該測位受信機が受信した前記測位信号とのうちの、より高いロケーション正確度を有する一方を用いて、該測位受信機の位置を計算するものである、請求項１９に記載のシステム。
【請求項２１】
請求項４に記載の方法を実行する測位受信機。
【請求項２２】
請求項１に記載の方法を実行するシステム。
【請求項２３】
請求項８に記載の方法を実行するシステム。
【外国語明細書】
2018097002.tif 000008
2018097002.tif 000009
2018097002.tif 000010
2018097002.tif 000011
2018097002.tif 000012
2018097002.tif 000013
2018097002.tif 000014
2018097002.tif 000015
2018097002.tif 000016
2018097002.tif 000017
2018097002.tif 000018
2018097002.tif 000019
2018097002.tif 000020
2018097002.tif 000021
2018097002.tif 000022
2018097002.tif 000023
2018097002.tif 000024
2018097002.tif 000025
2018097002.tif 000026
2018097002.tif 000027
2018097002.tif 000028
2018097002.tif 000029
2018097002.tif 000030